(57)【要約】  横揺れ防止安全システムは、ネット（１１）が巻き取りおよび巻き出しされるための回転シャフトを備える器具を収容するネット（１１）収納ボックス（１５）を有する。ボックス（１５）から指定距離だけ離間して、１本以上の支持体（１２，２５）が配置される。さらに、ボックス（１５）から引き出されて配置後の支持体（１２，２５）により保持される少なくとも１本の長手要素（１６）、好ましくはロープが設けられて、これにネット（１１）が巻き出されてブラケット（２１）によりカーテン状に保持される。網目構造としてのネット（１１）は可撓性であって巻き取りが可能であるように設計され、コイル形状に折り曲げられた複数のワイヤ、ロープ、および／またはコードから製造される。ネットがシャフトに巻き取られるように、コイル形状に折り曲げられたワイヤ（１３）、ロープ、および／またはコードは、ネット（１１）を引き出す方向に対して垂直に整列されることが好ましい。高度の安定性を備えて組立および分解が簡単で短時間で行われる、短距離または長距離に及ぶ可動または固定のバリヤが、こうして製造される。【選択図】図１
2012515278.tif 000002
【特許請求の範囲】
【請求項１】
１本以上の支持体（１２，２５）がボックス（１５）から指定距離だけ離間して配置されるとともに、前記ボックス（１５）から引き出されて配置後の前記支持体（１２，２５）に保持され、ブラケット（２１）によりネット（１１）がカーテン状に移動可能に保持される少なくとも１本の長手要素（１６）、好ましくロープが設けられるように、前記ネット（１１）を巻き取りおよび巻き出しするための回転シャフトを備える器具を収容するネット（１１）収納ボックス（１５）を有する横揺れ防止安全システムにおいて、
網目構造としての少なくとも１層の前記ネット（１１）が可撓性であって巻き取りが可能であるように設計され、コイル形状に折り曲げられて好ましくはそれぞれが高強度鋼で製作される複数のワイヤ、ロープ、および／またはストランドから前記ネットが製造され、前記ネットが前記シャフトに巻き取られるように、コイル形状に折り曲げられた前記ワイヤ（１３）、ロープ、および／またはストランドが好ましくは前記ネット（１１）を引き出す方向に対して垂直に整列されることを特徴とする、横揺れ防止安全システム。
【請求項２】
前記ワイヤ（１３）、ロープ、および／またはストランドが、少なくとも１，０００Ｎ／ｍｍ2の引張強度を持つ高強度鋼から製造されることを特徴とする、前記請求項１に記載の横揺れ防止安全システム。
【請求項３】
前記ネット（１１）の上端部において、指定距離だけ離間して装着されたブラケット（２１）によるスロットが、前記ネット（１１）が巻き出された時に、前記ブラケット（２１）に属する摺動要素を介して引き出し後の前記長手要素（１６）の上を摺動するように設計されて、前記ネットが止まらずに簡単に巻き出されるために前記長手要素（１６）の上の前記支持体の上に移動可能に配列されることを特徴とする、前記請求項１または２に記載の横揺れ防止安全システム。
【請求項４】
前記ネット（１１）に装着された前記ブラケット（２１）が、引き出されて前記支持体（１２）に保持された前記長手要素（１６）の上でそれぞれ転動する摺動要素としてのガイドローラ（２２）を有し、前記ブラケットがＵ字形の形状であって、側片により前記ネット（１１）に装着されることを特徴とする、前記請求項３に記載の横揺れ防止システム。
【請求項５】
前記支持体（１２）のそれぞれが、保護フック（１２’）と、前記ネット（１１）に装着された前記ブラケットが前記長手要素（１６）の上の前記フック（１２’）と接触せずに摺動できるように前記長手要素（１６）を保持するためのセンタリング手段（１６’）とを上端部に有することを特徴とする、前記請求項４に記載の横揺れ防止安全システム。
【請求項６】
用途に応じて、前記支持体（１２，２５）が地面に係止されるか、地面への固定なしで配置用の脚部を備えることを特徴とする、前記請求項のいずれかに記載の横揺れ防止安全システム。
【請求項７】
前記長手要素（１６）の端部と前記ネット（１１）の端部とが固定される端部支持体（２５）を前記支持体（１２）の１本が形成し、前記長手要素に保持された前記ネットが付加的に安定化するように、固定後にそれぞれの補強器具によって前記長手要素（１６）と前記ネット（１１）とが補強可能であることを特徴とする、前記請求項のいずれかに記載の横揺れ防止安全システム。
【請求項８】
可動実施形態において、大型のウエイト、例えばコンクリートスラブを備える基部を前記端部支持体（２５）が有することを特徴とする、前記請求項７に記載の横揺れ防止ネットシステム。
【請求項９】
前記ボックス（１５）と前記ネット（１１）と適当であれば前記支持体（１２，２５）とが、直立状態、斜面上、水平方向、または懸架状態で使用されることを特徴とする、前記請求項１〜８のいずれかに記載の横揺れ防止安全システム。
【請求項１０】
前記ネットの形状が、多様な形状で、例えば長さ方向に高さが異なるように設計されることを特徴とする、前記請求項の１〜９いずれかに記載の横揺れ防止安全システム。
【請求項１１】
複数の層を持つ、および／またはサンドイッチ構造として前記ネットが設計されることを特徴とする、前記請求項１〜１０のいずれかに記載の横揺れ防止安全システム。
【請求項１２】
１本または複数の追加の巻き取り材料が、例えば広告ポスターなどのためボックス内に巻き取られるか巻き出されることを特徴とする、前記請求項１〜１１のいずれかに記載の横揺れ防止安全システム。
【請求項１３】
通り抜けバリヤとして、落石防止として、または同様に使用されることを特徴とする、前記請求項１〜１２のいずれかに記載の横揺れ防止安全システム。
【請求項１４】
あらゆるタイプの発射体、例えばＲＰＧ７成形炸薬弾兵器に対する防衛的保護として使用されることを特徴とする、前記の請求項１〜１２のいずれかに記載の横揺れ防止安全システム。
【請求項１５】
少なくとも一つの熱気、冷気、突風防止用の保護要素を前記ネットが装備することを特徴とする、前記の請求項１〜１２のいずれかに記載の横揺れ防止安全システム。
【請求項１６】
好ましくはフォークリフトトラックで運搬されるように前記ボックス（１５）が設計されることと、特に前記支持体（１６，２５）を含む必要な備品のすべてが中に封入されるような寸法を持つこととを特徴とする、前記請求項１〜１５のいずれかに記載の横揺れ防止ネットシステム用のボックス。
【請求項１７】
前記ボックスが高い安定性を達成するための重量物、好ましくはコンクリートが前記ボックス（１５）の前記基部に収容されることを特徴とする、前記請求項１６に記載のボックス。
【発明の詳細な説明】
【技術分野】
【０００１】
本発明は、請求項１の前文に記載の横揺れ防止安全システムに関連する。
【背景技術】
【０００２】
特許文献１による汎用の可搬バリヤシステムでは、横揺れ防止ネットを収納する中空シャフトが回転可能に取り付けられた円筒形ハウジングが設けられ、手動式クランクハンドルを用いてこの中空シャフトを一方向または他方向に回すことが可能である。さらに、ロックを目的として、外側から調節可能な留め金と相互作用を行うつめ車が中空シャフトに付属している。このバリヤシステムは、子供にとって危険な場所を封鎖するのに適している。
【先行技術文献】
【特許文献】
【０００３】
【特許文献１】米国特許出願公開第２００７／０１７６１５８号明細書
【発明の概要】
【発明が解決しようとする課題】
【０００４】
本発明の基本的な目的は、安定性が高くて組立および分解が短時間で簡単に行われる、短距離または長距離に及ぶ可動または固定のバリヤを可能にするためのシステムを提供することであった。
【課題を解決するための手段】
【０００５】
網目構造としてのネットが、可撓性であって巻き取りが可能であるように設計され、コイル形状に折り曲げられた好ましくは高強度鋼製の複数のワイヤ、ロープ、および／またはストランドから製造され、コイル形状に折り曲げられたワイヤ、ロープ、および／またはストランドが、垂直方向直立シャフトにネットが巻き取られるように、ネットを引き出す方向に対して垂直に整列される構成にすることにより、本発明の上記目的が達成される。
【発明の効果】
【０００６】
本発明に係る巻き出しおよび巻き取りが行われる安全システムについての実施態様によれば、一方で、破壊行為、暴力行為、および外部環境の影響（風、雨、雪、砂嵐など）に対する耐性を確実に備え、また多人数が高密度で案内されなければならない場所で保護システムが緩むことのないように、安全システムの高い安定性が保証される。さらに、ネットには相応の予備張力を付与することができるため、このタイプの網目構造をよじ登るかくぐり抜けることは、不可能であるか大変な困難を伴ってのみ可能である。
【０００７】
加えて、本発明に係るシステムは高度の予備知識などを必要とせずに短時間で簡単に組立および分解が可能である。例えばスタジアムに一時的なバリヤとして短時間で設置し、その後スポーツイベント中に撤去して、試合終了後に観客が障害物に邪魔されずまた長蛇の列を作ることなくスタジアムから出られるようにすることができる。
本発明の例示的実施形態およびそのさらなる長所および用途が、図面を用いて以下で詳細に説明される。図面に示されているのは以下である。
【図面の簡単な説明】
【０００８】
【図１】本発明による巻き出し後のネットシステムの図である。
【図２】図１によるネットシステムの支持体の拡大部分図である。
【図３】図１によるシステムの巻き出し後のネットと長手要素とを含むボックスの上部の拡大部分図である。
【図４】ネットシステムの端部支持体の拡大部分図である。
【発明を実施するための形態】
【０００９】
図１は、様々な目的に適している組立状態の巻き出しネットシステム１０を示す。このシステムは、例えばフットボールスタジアムにおいて設置され、観客の入場を容易にするように、またスタジアムに到着する前からファンを相互に分離するための安全な配置を保証するため、スタジアム入口の前方から別々の区画が画定される。観客が再びスタジアムから退出する前に、これらのネット１１はボックス１５へ巻き戻されて数分の内に大した労力も必要とせずにシステム１０が分解され、結果的に観客は混雑なしで楽にスタジアムから出ることができる。
【００１０】
これらのシステムは、例えばスポーツおよび他の分野での大規模イベントのためなど様々な用途に適しているが、建物周囲または路上において可動または固定のバリヤおよびガイドとしてこれらのネットシステムの使用も可能である。
【００１１】
このタイプのネットシステム１０は、ネット１１を巻き出しおよび巻き取りするための回転シャフトを備える、詳細には示されていない器具を収容するボックス１５を含む。図示されているような巻き出し状態において、ネット１１は、一方ではボックス１５内でこのシャフトに、他方では端部支持体（図４参照）とその間で相互に離間している複数の支持体１２に保持されると好都合である。
【００１２】
さらに、少なくとも１本の長手要素１６が、ボックス１５から端部支持体までネットの上辺の上に案内されている。端部支持体に固定された後、この長手要素に懸架されたネットが付加的に安定化するように、それぞれの補強器具（詳細には図示されていない）によって、この長手要素１６とネット１１の両方が補強される。
【００１３】
本発明によれば、網目構造としてのネット１１は可撓性であるため巻き取りが可能であり、コイル形状に折り曲げられた複数のワイヤ１３、ロープ、および／またはストランドから製造される。ネット１１が垂直方向直立シャフトに巻き取られるように、コイル形状に折り曲げられたワイヤ１３、ロープ、および／またはストランドは、ネットを引き出す方向に対して垂直に整列されている。ワイヤ、ロープ、および／またはストランドは、少なくとも１，０００Ｎ／ｍｍ2の引張強度を持つ高強度鋼から製造される。
【００１４】
この例示的実施態様では、直径２ｍｍで引張強度が１，７００Ｎ／ｍｍ2の高強度鋼で製作されたワイヤ１３からネット１１が編まれている。こうしてこれらのネットは、一方では非常に軽量で製造されながら、他方では高強度のため安定性要件を理想的な形で満たす。このようなネットの軽量構造は、５０ｍもの長い距離だけ引き出されて弛みの傾向が見られないことを意味する。
【００１５】
ボックス１５は、好ましくはフォークリフトトラックを用いて運搬されるように設計されている。そのため、フォークリフトトラックのフォークが差し込まれる相応の開口部１７が、下側に設けられている。さらにボックス１５は、シャフトおよび補強器具への接触を保証するためのドア１６を有し、特に支持体１２を含む必要な備品すべてが中に封入されるような寸法を持つ。
【００１６】
したがって、本発明の枠組みの中でさらなる長所が得られ、すなわちこのシステムでは、分解された状態でこのボックス１５のみが配置および撤去され、結果的にこれに必要なスペースが非常に狭いのである。
【００１７】
ドア１６に隣接する側面には、ネット１１を通過させるための通路スロット１８がボックス１５のほぼ全高にわたって延在している。さらに、長手要素１６を突出させるための開口部１９が、この通路スロット１８の上に設けられている。さらに、ボックス１５の基部は重量物、好ましくはコンクリートを収容しているため、ネット１１の巻き出し状態では、このボックスも充分な安定性を持つ。
【００１８】
図１および図２によると、支持体１２はそれぞれ、保護フック１２’と長手要素１６を保持するためのセンタリング手段１６’とを上端部に備える。さらに、ネット１１のための付加的保持部として機能する爪部３２が、支持体に装着されている。この目的のため、これらの爪部を介して、ネットに通されたエッジロープ３１とワイヤ１３の端部とによってネット１１が懸架される。さらに、形成されたループ１３’により、ワイヤ１３の端部は隣接ワイヤに接続されている。
【００１９】
図１および図３によると、ネット１１の上端部において、相互に指定距離だけ離間した状態で設けられたスロットが、それぞれＵ字形の形状であって側片２１’を介してネット１１に装着されたブラケット２１により設けられると好都合である。加えて、これらのブラケット２１に付属するのは、ネットが引き出された時に延出状態の長手要素１６を転動するガイドローラ２２として設けられたスライド要素である。これらのブラケット２１は、図１に見られるように、ネットが巻き出された時に支持体１２の間のほぼ中央に位置するように、相互に離間してネットに装着されると好都合である。
【００２０】
ネット上のこれらブラケット２１と、支持体１２の上端部において上方へ突出するセンタリング手段１６’を備えるフック１２’とは、接触しないため妨害されることもなくこれらのフック１２’を通る長手要素の上をガイドローラ２２によりそれぞれのブラケット２１が移動でき、そのためネット１１が止まらずに簡単に巻き出されるように、構成されている。
【００２１】
図４は、長手要素１６の端部とネット１１の端部とが固定される端部支持体２５の上部を図示している。可動実施形態では、この端部支持体２５は重いウエイト、例えばコンクリートスラブを備える基部をさらに有する。ここでネット１１の端部は、ネット１１に面した端部支持体２５の側面の対応スロット２８に嵌合する接続要素２７を有する端部ストリップ２６を装備している。この端部ストリップ２６の上端部において、ブラケット２９もガイドローラを備える。ネットを巻き出すため、このブラケット２９は長手要素上を端部支持体まで移動し、ネットとともに端部ストリップが端部支持体に押圧される。しかしこの後、このブラケット２９は長手要素１６から再び取り外される。
【００２２】
システムを組み立てる時には、最初にフォークリフトトラックまたは他の何らかの有効な運搬手段によりボックス１５が所望の位置まで運ばれると好都合である。それから端部支持体２５と、適切であれば支持体１２が、最初に相互から既定の距離に配置され、支持体が地面の穴に差し込まれるか、単純に並べられる。この後、長手要素１６が開口部１９を通ってボックス１５から引き出され、端部支持体に固定され、補強器具によってボックス１５に補強される。この長手要素が取り付けられるとすぐに、ネット１１がボックス１５から巻き出されて、ブラケット２１、２６で懸架されることにより端部支持体２５まで長手要素１６にカーテン状に広げられ、端部支持体に装着される。さらに、例えば人がネットにつかまるかネットへ落下した場合にネットがわずかしか動かずに実際上は安定状態を維持するのに充分な剛性が達成されるように、ネットが補強器具によって補強され、支持体１２の爪部３２により底部および上部において懸架されると好都合である。
【００２３】
上述した例示的実施形態により、本発明が充分に明らかにされた。しかし、他の形態を例として挙げることも可能である。この場合、ボックスは矩形の断面の代わりに円形または類似の断面を備える。必要に応じて、２個以上のボックスが隣接して配置されてもよい。端部支持体は、壁などに装着されてもよい。
【００２４】
０本、１本、または複数の支持体がボックスから指定の距離だけ離間して配置されて、ボックスから引き出されて配置後の支持体に保持可能である少なくとも１本の長手要素、好ましくはロープが設けられて、ネットがカーテン状に長手要素へ巻き出されて支持要素により保持されるように、フェンスタイプの網目構造を巻き取りまたは巻き出しするための回転シャフトを備える器具を収容するボックスまたはボックスタイプの装置に収納されるフェンスタイプの網目構造を安全システムが備えることが好ましい。
【００２５】
これらの横揺れ防止安全要素は直立状態で使用可能であるが、水平方向であるか懸架されてもよい。傾斜状態または他の形状での使用も可能である。さらに、巻き取られる安全要素の形状そのものも変化し、巻き取り長さにわたって設計が異なっていてもよい。
【００２６】
さらに、これらの巻き取り安全要素は、巻き取り能力が制限されることなく、形状が多層である、および／またはいわゆるサンドイッチ構造を有してもよい。他の用途は、イベントが異なると利用可能なエリアも異なるか、エリアの封鎖が可能であるという柔軟性を必要とする貿易博覧会または類似のイベントのための可動フェンスバリヤである。
【００２７】
しかし、実際の封鎖目的に加えて、この巻き取りフェンスシステムは別の用途にも使用可能である。例えば、他の様々な巻き取り材料がボックスに巻き取られて、フェンス網目構造と同じようにして巻き出しおよび巻き取りが行われる。これらの用途は広告部門で使用可能である。その場合には、広告ポスターが広げられてから再び分解されてもよい。例えば風力を受けた時の高い安定性のため、本出願に係る発明は、大規模なイベント、スポーツの大会、貿易博覧会の施設、および人の管理といった用途にも適している。
【００２８】
特に強力なネットおよび網目構造を使用すると、動的保護の用途も可能である。そのため、一時的な通り抜けバリヤとして可動保護器具が使用されてもよい。落石防止ネットのため、または他の自然災害に対する防止手段のための類似の用途も可能である。
【００２９】
例えば、高強度フェンスシステムを使用する時には、通常の工具でこれらの特殊なネットおよび網目構造を切断することがほとんど不可能であるか非常な困難を伴ってのみ可能であるという長所を付加的に利用することができる。これは、警察または軍事の用途では必要とされることが多い侵入防止を強化できる。またこれらの防止用途は、要注意物（大使館、輸送施設、エネルギー供給プラントなど）の分野または個人セキュリティの分野でも、使用に供される。
【００３０】
成形炸薬弾兵器に対する保護を提供する巻き取り式フェンスをこれらのボックスが装備する場合には、相応の脅威（例えばＲＰＧ７および類似のミサイルの形）に対する可動保護が保証される。この用途は、軍事格納設備および施設の分野と紛争および戦争地域で使用できる。このような成形炸薬弾発射体などに対する効率的な保護が比較的簡単に短時間の設置で達成されるという長所が得られる。保護対象の施設の上に天蓋を形成してこれを被覆することで、巻き取り式要素によって弾道保護も達成される。
【００３１】
同様に、巻き取り式のシャッタ保護壁は、一時的な用途のため運搬、組立、再分解が簡単に行われる。この目的のため、同様に巻き出されて同じように設置されるシャッタ保護システムを網目構造の代わりにボックスに装備する。これと同様なものとして、一緒に巻かれて一つずつ組み立てられるネットシステムとシャッタ保護要素との組合せがある。簡易爆弾に対するこれらのシャッタ保護用途は、軍事施設ばかりでなく特に民間施設および個人（ＶＩＰなど）が保護されなければならない紛争地域で特に使用される。短時間での設置により、一時的な保護機能がこうして効率的かつ低価格で果たされる。
【００３２】
上記の横揺れ防止ボックスシステムは、特に軍事基地および施設において赤外線画像およびフィルムに対して使用される熱線防止用保護要素との組合せも可能である。布地または布地タイプであることの多いこれらの要素も、上述した方法で巻き取られ格納される。
【００３３】
直立つまり垂直方向の実施形態に加えて、上述した用途の水平、懸架、または傾斜用途も可能である。この目的のため、横揺れ防止要素および／またはフェンスシステムが水平方向に引き出されるようにボックスが設計される。これは、保護対象の施設または基幹施設を被覆して天蓋を設けるという目的のために使用される。ここでは、風、雨、雪の負荷とともに他の外的影響（砂嵐など）が支持システムに重大な負荷影響を加えるため、強固な設計と、巻取式要素に予備張力を付与する可能性とが同様に、実用的な用途で大きな利点となる。巻き出しおよび巻き取りを補助するため、これらの水平または懸架用途が両側の長手要素（引張ロープなど）とともに使用されることが好ましい。これは組立および分解をさらに単純化する。
【００３４】
上述したボックスは、ネットシステムが巻き取られる基本的に閉鎖状態で略円筒形のユニットである。しかし用途に応じて、これらのボックスが開放状態であるか、弛緩構造を有するか、あるいは少なくとも部分的に閉鎖状態であるように設計されてもよく、これらのボックスの実施形態の組合せも可能であることは言うまでもない。
【符号の説明】
【００３５】
１０…ネットシステム、１１…ネット、１２…支持体、１２’…保護フック、１３…ワイヤ、１３’…ループ、１５…ボックス、１６…長手要素／ドア、１６’…センタリング手段、１７，１９…開口部、１８…通路スロット、２１…ブラケット、２１’…側片、２２…ガイドローラ、２５…端部支持体、２６…端部ストリップ、２７…接続要素、２８…スロット、２９…ブラケット、３１…エッジロープ、３２…爪部。
【図１】
2012515278.tif 000003
【図２】
2012515278.tif 000004
【図３】
2012515278.tif 000005
【図４】
2012515278.tif 000006
【国際調査報告】
2012515278.tif 000007
2012515278.tif 000008
2012515278.tif 000009
2012515278.tif 000010